(57)【要約】【課題】複数の共振器と入出力電極とを空気層を介して配設した構成の帯域通過フィルタにおいて、振動などによる入出力容量の変化が起こり難く、しかも、組立作業や調整作業が容易なものを提供する。【解決手段】この帯域通過フィルタ１は、一端が短絡されて他端が開放され、隣り合う共振器間で互いに空気層を介して電磁界結合する柱状の共振器２Ａ、２Ｂと、共振器２Ａ、２Ｂとの間で負荷容量を形成する周波数調整電極３Ａ、３Ｂと、共振器２Ａ、２Ｂに装着され、その外側面の一部を囲む環状部４Ａａ、４Ｂａを有する誘電体スペーサー４Ａ、４Ｂと、環状部４Ａａ、４Ｂａの外側面に接着され、共振器２Ａ、２Ｂとの間で電界結合して入出力容量を形成する導体箔製の入出力電極５Ａ、５Ｂと、入出力電極５Ａ、５Ｂに導線７Ａ、７Ｂで電気的に接続された入出力端子導体６Ａａ、６Ｂａを有しフィルタケース１ａに固定された入出力端子６Ａ、６Ｂと、を備えてなる。【選択図】図１
2012205096.tif 000002
【特許請求の範囲】
【請求項１】
一端が短絡されて他端が開放され、隣り合う共振器間で互いに空気層を介して電磁界結合する柱状の複数の共振器と、
該複数の共振器との間で負荷容量を形成する複数の周波数調整電極と、
前記複数の共振器の少なくとも一つに装着され、その外側面の少なくとも一部を囲む環状部を有する誘電体スペーサーと、
前記誘電体スペーサーの環状部の外側面に接着され、前記共振器との間で電界結合して入出力容量を形成する導体箔製の入出力電極と、
前記入出力電極に導線で電気的に接続された入出力端子導体を有しフィルタケースに固定された入出力端子と、
を備えてなることを特徴とする帯域通過フィルタ。
【請求項２】
請求項１に記載の帯域通過フィルタにおいて、
前記誘電体スペーサーは、有底筒状をなし、その底部が前記共振器の前記開放された他端を覆うものであることを特徴とする帯域通過フィルタ。
【請求項３】
請求項１又は２に記載の帯域通過フィルタにおいて、
前記複数の周波数調整電極は、前記複数の共振器に対しその軸線方向に移動可能なように前記フィルタケースにねじ結合され、接地電位になっている周波数調整ねじを有して構成されていることを特徴とする帯域通過フィルタ。
【請求項４】
請求項１〜３のいずれか１項に記載の帯域通過フィルタにおいて、
前記複数の周波数調整電極の少なくとも一つは、前記誘電体スペーサーの外面に接着され、導線により接地電位に接続された導体箔製の電極片を有して構成されていることを特徴とする帯域通過フィルタ。
【請求項５】
請求項１〜４のいずれか１項に記載の帯域通過フィルタにおいて、
前記複数の共振器には、導体箔製の段間結合電極が前記誘電体スペーサーの外面に接着され、両段間結合電極が導線で電気的に接続されており、
前記複数の共振器は、互いに空気層を介して電磁界結合するのに加えて、前記段間結合電極を介して電界結合することを特徴とする帯域通過フィルタ。
【発明の詳細な説明】
【技術分野】
【０００１】
本発明は、無線通信機器などに組み込んで使用されるマイクロ波やミリ波などの高周波領域で用いる帯域通過フィルタに関する。
【背景技術】
【０００２】
近年、マイクロ波やミリ波などの高周波領域では多くの帯域通過フィルタが使用されている。この帯域通過フィルタは、エネルギー損失が少ないなどの利点から、複数の共振器を空気層を介して配置するタイプのものが多く用いられている。
【０００３】
このタイプの典型的な帯域通過フィルタ１０１を、図１３に模式的に示す。帯域通過フィルタ１０１は、そのフィルタケース１０１ａの内部に、一端が短絡されて他端が開放された２個の共振器１０２Ａ、１０２Ｂが設けられている。共振器１０２Ａ、１０２Ｂは、空気層を介して互いに電磁界結合により段間結合しており、短絡端同士及び開放端同士が隣り合うように設けられたコムラインフィルタの構成になっている。また、帯域通過フィルタ１０１には、共振器１０２Ａ、１０２Ｂの各々との間で負荷容量を形成して共振周波数を調整する周波数調整電極１０３Ａ、１０３Ｂが設けられており、共振器１０２Ａ、１０２Ｂはこれらの負荷容量が組み合わさることによって所望の周波数で共振するようになる。また、帯域通過フィルタ１０１には、入出力電極（入力電極又は出力電極）１０５Ａ、１０５Ｂが設けられ、これらと共振器１０２Ａ、１０２Ｂとの間で空気層を介して入出力容量を形成することで電界結合する。これらの入出力電極１０５Ａ、１０５Ｂは、共振器１０２Ａ、１０２Ｂに空気層を介して対向するように、入出力端子１０６Ａ、１０６Ｂの入出力端子導体１０６Ａａ、１０６Ｂａに機械的に固定されており、そして、これらの入出力端子１０６Ａ、１０６Ｂは、フィルタケース１０１ａの両側において機械的に固定されている。
【０００４】
このような典型的な帯域通過フィルタ１０１については、種々の改良が提案されている。例えば、特許文献１には、共振器間の結合の一部を遮蔽して帯域通過フィルタの周波数特性の傾きを調整することが提案されている。また、特許文献２には、入出力電極を対向する共振器と同様な曲面としてそれらの間の結合度を上げ、また、結合度を調整する部材を入出力電極に接合することが提案されている。
【先行技術文献】
【特許文献】
【０００５】
【特許文献１】特開２００５−３１１８６２号公報
【特許文献２】米国特許７７９６０００号公報
【発明の概要】
【発明が解決しようとする課題】
【０００６】
しかしながら、特許文献１、２を含めても従来の構成では、共振器１０２Ａ、１０２Ｂに空気層を介して対向する入出力電極１０５Ａ、１０５Ｂが入出力端子１０６Ａ、１０６Ｂを介してフィルタケース１０１ａに機械的に固定されているので、振動などにより入出力電極１０５Ａ、１０５Ｂと共振器１０２Ａ、１０２Ｂとの間の間隙距離が変化して入出力容量も変化するおそれが有る。そのため、それに伴うフィルタ特性の変化を避けるように入出力端子導体１０６Ａａ、１０６Ｂａへの入出力電極１０５Ａ、１０５Ｂの固定やフィルタケース１０１ａへの入出力端子１０６Ａ、１０６Ｂの固定は、頑強な構造としなければならなくなり、その結果、組立作業や調整作業が容易ではなかった。
【０００７】
本発明は、係る事由に鑑みてなされたものであり、その目的は、複数の共振器と入出力電極とを空気層を介して配設した構成の帯域通過フィルタにおいて、振動などによる入出力容量の変化が起こり難く、しかも、組立作業や調整作業が容易なものを提供することにある。
【課題を解決するための手段】
【０００８】
上記目的を達成するために、請求項１に記載の帯域通過フィルタは、一端が短絡されて他端が開放され、隣り合う共振器間で互いに空気層を介して電磁界結合する柱状の複数の共振器と、該複数の共振器との間で負荷容量を形成する複数の周波数調整電極と、前記複数の共振器の少なくとも一つに装着され、その外側面の少なくとも一部を囲む環状部を有する誘電体スペーサーと、前記誘電体スペーサーの環状部の外側面に接着され、前記共振器との間で電界結合して入出力容量を形成する導体箔製の入出力電極と、前記入出力電極に導線で電気的に接続された入出力端子導体を有しフィルタケースに固定された入出力端子と、を備えてなることを特徴とする。
【０００９】
請求項２に記載の帯域通過フィルタは、請求項１に記載の帯域通過フィルタにおいて、前記誘電体スペーサーは、有底筒状をなし、その底部が前記共振器の前記開放された他端を覆うものであることを特徴とする。
【００１０】
請求項３に記載の帯域通過フィルタは、請求項１又は２に記載の帯域通過フィルタにおいて、前記複数の周波数調整電極は、前記複数の共振器に対しその軸線方向に移動可能なように前記フィルタケースにねじ結合され、接地電位になっている周波数調整ねじを有して構成されていることを特徴とする。
【００１１】
請求項４に記載の帯域通過フィルタは、請求項１〜３のいずれか１項に記載の帯域通過フィルタにおいて、前記複数の周波数調整電極の少なくとも一つは、前記誘電体スペーサーの外面に接着され、導線により接地電位に接続された導体箔製の電極片を有して構成されていることを特徴とする。
【００１２】
請求項５に記載の帯域通過フィルタは、請求項１〜４のいずれか１項に記載の帯域通過フィルタにおいて、前記複数の共振器には、導体箔製の段間結合電極が前記誘電体スペーサーの外面に接着され、両段間結合電極が導線で電気的に接続されており、前記複数の共振器は、互いに空気層を介して電磁界結合するのに加えて、前記段間結合電極を介して電界結合することを特徴とする。
【発明の効果】
【００１３】
本発明によれば、共振器との間で電界結合して入出力容量を形成する導体箔製の入出力電極が、共振器に装着された誘電体スペーサーに接着されており、かつ、入出力電極が導線で入出力端子導体に電気的に接続されているので、振動などによる入出力容量の変化が起こり難く、しかも、組立作業や調整作業が容易な帯域通過フィルタを提供することができる。
【図面の簡単な説明】
【００１４】
【図１】本発明の実施形態に係る帯域通過フィルタ１の構成を示す模式図である。
【図２】同上の帯域通過フィルタ１の共振器２Ａの近傍を示す模式的な斜視図である。
【図３】同上の帯域通過フィルタ１の実施例の写真である。
【図４】同上の帯域通過フィルタ１の実施例のフィルタ特性の測定図である。
【図５】同上の帯域通過フィルタ１の変形例を示す模式図である。
【図６】同上の帯域通過フィルタ１の別の変形例を示す模式図である。
【図７】同上の帯域通過フィルタ１の更に別の変形例を示す模式図である。
【図８】図７で示す変形例のフィルタ特性のシミュレーション結果を示す図である。
【図９】同上の帯域通過フィルタ１’（共振器が３個の場合）の構成を示す模式図である。
【図１０】同上の帯域通過フィルタ１’の変形例を示す模式図である。
【図１１】同上の帯域通過フィルタ１’の別の変形例を示す模式図である。
【図１２】同上の帯域通過フィルタ１’の更に別の変形例を示す模式図である。
【図１３】従来の帯域通過フィルタの構成を示す模式図である。
【発明を実施するための形態】
【００１５】
以下、本発明を実施するための好ましい形態を図面を参照しながら説明する。本発明の実施形態に係る帯域通過フィルタ１は、図１に示すように、それぞれ２個の、共振器２Ａ、２Ｂと、周波数調整電極３Ａ、３Ｂと、誘電体スペーサー４Ａ、４Ｂと、入出力電極５Ａ、５Ｂと、入出力端子６Ａ、６Ｂと、を備え、これらを固定する又は内部に含むフィルタケース１ａを備えるものである。
【００１６】
共振器２Ａ、２Ｂはそれぞれ、一端が短絡されて他端が開放され、隣り合う共振器２Ａ、２Ｂ間で互いに空気層を介して電磁界結合するようにフィルタケース１ａに固定されており、柱状をなした金属製のものである。共振器２Ａ、２Ｂは、それらの長さが約１／４波長となる周波数（或いは、その奇数倍の周波数）で共振する。また、共振器２Ａ、２Ｂは、ＴＥＭ型共振器であり、それらは、隣り合って並行して配設され、電磁界結合により段間結合している。より詳細には、これらの共振器２Ａ、２Ｂは、短絡端（上記短絡された一端）２Ａａ、２Ｂａ同士及び開放端（上記開放された他端）２Ａｂ、２Ｂｂ同士が隣り合った構成、すなわち、コムラインフィルタの構成になっている。なお、共振器２Ａ、２Ｂは、典型的には円柱状（図２参照）又は角柱状などであるが、特に限定はされない。
【００１７】
周波数調整電極３Ａ、３Ｂは、２個の共振器２Ａ、２Ｂとの間でそれぞれの負荷容量を形成するものである。これらの負荷容量の値は調整可能となっており、負荷容量が共振器に組み合わさることにより、上記の共振時の周波数（共振周波数）が所望の周波数に調整される。具体的には、周波数調整電極３Ａ、３Ｂは、従来のものと同様の、いわゆる周波数調整ねじ３Ａａ、３Ｂａを用いることができる。周波数調整ねじ３Ａａ、３Ｂａは、共振器２Ａ、２Ｂに対しその軸線方向（長さ方向）に移動可能なようにフィルタケース１ａにねじ結合されている。そして、周波数調整ねじ３Ａａ、３Ｂａは、接地電位（通常はフィルタケース１ａの電位）になっており、回動させることにより、共振器２Ａ、２Ｂの開放端２Ａｂ、２Ｂｂに対して近接又は離反する方向に移動し、周波数調整ねじ３Ａａ、３Ｂａの端面と共振器２Ａ、２Ｂの開放端２Ａｂ、２Ｂｂとの距離を変えて負荷容量の値を変える。
【００１８】
誘電体スペーサー４Ａ、４Ｂはそれぞれ、共振器２Ａ、２Ｂに装着され、その外側面の少なくとも一部を囲む所定の厚さの環状部４Ａａ、４Ｂａを有する（図２参照）。誘電体スペーサー４Ａ、４Ｂは、所定の誘電率を有する誘電体であり、例えばポリカーボネートなどの合成樹脂製である。誘電体スペーサー４Ａ、４Ｂは、環状部４Ａａ、４Ｂａの内側面が共振器２Ａ、２Ｂの外側面に密着するようにして、接着剤などによって共振器２Ａ、２Ｂに固定されている。
【００１９】
入出力電極５Ａ、５Ｂはそれぞれ、誘電体スペーサー４Ａ、４Ｂの環状部４Ａａ、４Ｂａの外側面に接着され、共振器２Ａ、２Ｂとの間で電界結合して入出力容量を形成する導体箔（例えば、銅テープ（接着層付き）など）製であって、例えば略矩形状をなしている。
【００２０】
入出力端子６Ａ、６Ｂはそれぞれ、入出力電極５Ａ、５Ｂに導線７Ａ、７Ｂで電気的に接続された入出力端子導体６Ａａ、６Ｂａを有してフィルタケース１ａの両側に固定されている。入出力端子導体６Ａａ、６Ｂａはそれぞれ、外部との電気的な接続がなされる導体である。
【００２１】
帯域通過フィルタ１は、入出力端子６Ａ、６Ｂのいずれか一方に、マイクロ波やミリ波などの高周波領域の高周波信号が入力されると、共振器２Ａ、２Ｂがそれらの長さと負荷容量などで決まる共振周波数で共振し、その共振周波数を中心とした通過帯域の信号が入出力端子６Ａ、６Ｂの他方から出力される。
【００２２】
このような構成の帯域通過フィルタ１では、共振器２Ａ、２Ｂとの間で入出力容量を形成する入出力電極５Ａ、５Ｂが、共振器２Ａ、２Ｂに装着された誘電体スペーサー４Ａ、４Ｂの環状部４Ａａ、４Ｂａの外側面に接着され、かつ、導線７Ａ、７Ｂで入出力端子導体６Ａａ、６Ｂａに電気的に接続されているので、入出力電極５Ａ、５Ｂと共振器２Ａ、２Ｂとの間隙距離や間隙状態が常に一定に保持されて、振動などによる入出力容量の変化が起こり難い。
【００２３】
また、入出力電極５Ａ、５Ｂは、誘電体スペーサー４Ａ、４Ｂへの接着により容易に固定され、また、フィルタケース１ａへの入出力端子５Ａ、５Ｂの固定は、多少ずれても、入出力容量には影響しないため、それほど頑強な固定にする必要がないので、組立作業が容易なものとなる。
【００２４】
また、導体箔製の入出力電極５Ａ、５Ｂを所望の面積に切り取って誘電体スペーサー４Ａ、４Ｂに接着させることにより、共振器２Ａ、２Ｂとの間の入出力容量を容易に調整できる。また、入出力電極５Ａ、５Ｂは、共振器２Ａ、２Ｂの外側面の曲率に対応した曲率で誘電体スペーサー４Ａ、４Ｂに密着しているので、入出力容量の数値計算が容易であり、所望のフィルタ特性に合わせた帯域通過フィルタ１の設計が容易である。
【００２５】
また、入出力電極５Ａ、５Ｂと共振器２Ａ、２Ｂとの間の入出力結合度は、このようにして入出力容量を調整することによって調整する他、入出力電極５Ａ、５Ｂの位置又は入出力電極５Ａ、５Ｂが接着される環状部４Ａａ、４Ｂａの位置を共振器２Ａ、２Ｂの軸線方向に変えることによっても調整することができる。この場合、入出力電極５Ａ、５Ｂが共振器２Ａ、２Ｂの開放端２Ａｂ、２Ｂｂ近傍に位置するとき、入出力結合度が最も大きく、短絡端２Ａａ、２Ｂａ側にスライドすることによって入出力結合度は連続的に徐々に小さくなる。こうして、入出力容量や入出力電極５Ａ、５Ｂの位置によって入出力結合度を調整すると、帯域通過フィルタ１の通過特性Ｓ２１や反射特性Ｓ１１などのフィルタ特性を調整することができる。
【００２６】
図３は、帯域通過フィルタ１の実施例の写真である。この実施例の帯域通過フィルタ１は、内部に電磁界を閉じ込めるように、写真に表れているフィルタケース１ａの半分に、写真に表れていないフィルタケース１ａのもう半分（蓋部）が組み合わされ、しっかりとねじ止めして組み合わされるものである。共振器２Ａ、２Ｂは、直径約６ｍｍ、長さ約１１ｍｍの円柱状とし、共振器２Ａ、２Ｂの間の距離は約２０ｍｍとした。誘電体スペーサー４Ａ、４Ｂの厚さは約１ｍｍとした。
【００２７】
図４は、実施例の帯域通過フィルタ１のフィルタ特性を示したものである。共振器２Ａ、２Ｂの共振周波数は、約２．４５ＧＨｚとしている。図４より、通過特性Ｓ２１において、通過帯域の最大値が大きく、通過帯域の両側が十分に減衰し、また、反射特性Ｓ１１において通過帯域での最大値が約−１４ｄＢ以下という良好なフィルタ特性を得ることができている。
【００２８】
次に、帯域通過フィルタ１の変形例である帯域通過フィルタ１Ａ、１Ｂ、１Ｃを図面に基づいて説明する。なお、帯域通過フィルタ１Ａ、１Ｂ、１Ｃは、互いの特徴を組み合わせることが可能である。
【００２９】
図５は、帯域通過フィルタ１Ａを示すものであって、上記誘電体スペーサー４Ａ、４Ｂを変形した誘電体スペーサー４Ａ’、４Ｂ’が設けられている。この誘電体スペーサー４Ａ’、４Ｂ’は、有底筒状をなし、その底部４Ａｂ、４Ｂｂが共振器２Ａ、２Ｂの開放端２Ａｂ、２Ｂｂを覆うようにしている。このようにすると、底部４Ａｂ、４Ｂｂの厚さの分だけ周波数調整電極３Ａ、３Ｂと共振器２Ａ、２Ｂとの間に形成される最大の負荷容量を増大させることができるため、負荷容量の値の調整可能な範囲を広げることができる。
【００３０】
図６は、帯域通過フィルタ１Ｂを示すものであって、上記周波数調整電極３Ａ、３Ｂを変形した周波数調整電極３Ａ’、３Ｂ’が設けられている。この周波数調整電極３Ａ’、３Ｂ’は、上記の周波数調整ねじ３Ａａ、３Ｂａと電気的に並列になるように導体箔製の電極片３Ａｂ、３Ｂｂを誘電体スペーサー４Ａ、４Ｂの外面に接着したものである。電極片３Ａｂ、３Ｂｂは、接地電位（通常はフィルタケース１ａの電位）に導線７Ａａ、７Ｂａにより接続されている。電極片３Ａｂ、３Ｂｂは、周波数調整ねじ３Ａａ、３Ｂａとともに共振器２Ａ、２Ｂとの間に負荷容量を形成する。このようにすると、大きな容量の調整は、導体箔製の電極片３Ａｂ、３Ｂｂを所望の面積に切り取って誘電体スペーサー４Ａ、４Ｂに接着させることにより行い、容量の微調整は、周波数調整ねじ３Ａａ、３Ｂａによって行うことができるので、調整がし易くなる。
【００３１】
図７は、帯域通過フィルタ１Ｃを示すものであって、２個の共振器２Ａ、２Ｂには、導体箔製の段間結合電極５Ａａ、５Ｂａが誘電体スペーサー４Ａ、４Ｂの外面に接着されており、両段間結合電極５Ａａ、５Ｂａは導線７Ａｂで互いに電気的に接続されている。これにより、共振器２Ａ、２Ｂは、互いに空気層を介して電磁界結合するのに加えて、それと並列に、共振器２Ａと段間結合電極５Ａａの間及び共振器２Ｂと段間結合電極５Ｂａの間を介して電界結合する。このようにすると、共振器２Ａ、２Ｂの間の空気層を介した電磁界結合の磁気結合の成分を弱めることになるので、帯域通過フィルタ１Ｃの通過特性Ｓ２１の通過帯域を狭帯域にすることが可能であり、また、それによって、共振器２Ａ、２Ｂの間の距離を短くして小型化することも可能である。また、空気層を介した電磁界結合と、段間結合電極５Ａａ及び段間結合電極５Ｂａを介した電界結合と、の共振によって、通過帯域近傍に減衰極（ノッチ）を形成させることができる。この減衰極により、後続の電子素子による所望の通過帯域とその他の帯域との選択が容易になる。
【００３２】
図８は、帯域通過フィルタ１Ｃのフィルタ特性を示したものである。上記の図３で示した実施例と同様の共振器２Ａ、２Ｂと誘電体スペーサー４Ａ、４Ｂを用い、段間結合電極５Ａａ、５Ｂａと導線７Ａｂを付加し、共振器２Ａ、２Ｂの間の距離を約１０ｍｍにしたもののシミュレーション結果である。共振器２Ａ、２Ｂの共振周波数は、約２．４５ＧＨｚとしている。図８より、通過特性Ｓ２１において、通過帯域の最大値が大きく、通過帯域の両側が十分に減衰し、しかも、通過帯域の低域側近傍（約２．３５ＧＨｚ）に減衰極が形成されていて、通過帯域の低域側の減衰のスロープは急峻である。また、反射特性Ｓ１１の最大値は約−１４ｄＢ以下となっており、通過特性Ｓ２１とともに良好なフィルタ特性になっている。
【００３３】
以上、本発明の実施形態に係る帯域通過フィルタについて、それを構成する共振器が２個の場合の態様を説明したが、３個以上にすることも可能である。
【００３４】
図９は、上述の帯域通過フィルタ１の構成に更に共振器２Ｃを追加した帯域通過フィルタ１’を示している。この共振器２Ｃは、共振器２Ａ、２Ｂと同様のものであり、それらの中間に配置されている。また、周波数調整電極３Ａ、３Ｂの周波数調整ねじ３Ａａ、３Ｂａと同様の周波数調整電極３Ｃの周波数調整ねじ３Ｃａが、共振器２Ｃとの間でそれぞれ負荷容量を形成するように、設けられている。この帯域通過フィルタ１’は、帯域通過フィルタ１とはフィルタ特性が多少変化するが、同様に、入出力端子６Ａ、６Ｂのいずれか一方に、マイクロ波やミリ波などの高周波領域の高周波信号が入力されると、共振器２Ａ、２Ｂ、２Ｃがそれらの長さと負荷容量などで決まる共振周波数で共振し、その共振周波数を中心とした帯域が入出力端子６Ａ、６Ｂの他方から出力される。
【００３５】
帯域通過フィルタ１’について、帯域通過フィルタ１と同様な変形例である帯域通過フィルタ１Ａ’、１Ｂ’、１Ｃ’を以下に示す。なお、帯域通過フィルタ１Ａ’、１Ｂ’、１Ｃ’は、互いの特徴を組み合わせることが可能である。
【００３６】
図１０は、帯域通過フィルタ１Ａ’を示すものであって、共振器２Ｃに上記の誘電体スペーサー４Ａ’、４Ｂ’と同様の誘電体スペーサー４Ｃ’が装着されている。共振器２Ａ、２Ｂには、帯域通過フィルタ１Ａの場合と同様に、誘電体スペーサー４Ａ’、４Ｂ’が装着されている。この帯域通過フィルタ１Ａ’では、底部４Ａｂ、４Ｂｂ、４Ｃｂの厚さの分だけ周波数調整電極３Ａ、３Ｂ、３Ｃと共振器２Ａ、２Ｂ、２Ｃとの間に形成される最大の負荷容量を増大させることができるため、負荷容量の値の調整可能な範囲を広げることができる。
【００３７】
図１１は、帯域通過フィルタ１Ｂ’を示すものであって、上記の周波数調整電極３Ａ’、３Ｂ’と、それらと同様の周波数調整電極３Ｃ’が設けられている。周波数調整電極３Ｃ’は、上記の周波数調整ねじ３Ｃａと電気的に並列になるように導体箔製の電極片３Ｃｂが誘電体スペーサー４Ｃの外面に接着され、導線７Ｃａにより接地電位（通常はフィルタケース１ａの電位）に接続されている。この帯域通過フィルタ１Ｂ’では、帯域通過フィルタ１Ｂと同様に、容量の大きな調整は、導体箔製の電極片３Ａｂ、３Ｂｂ、３Ｃｂを所望の面積に切り取って誘電体スペーサー４Ａ、４Ｂ、４Ｃに接着させることにより行い、容量の微調整は、周波数調整ねじ３Ａａ、３Ｂａ、３Ｃａによって行うことができるので、調整がし易くなる。
【００３８】
図１２は、帯域通過フィルタ１Ｃ’を示すものであって、共振器２Ｃに、上記の段間結合電極５Ａａ、５Ｂａと同様の導体箔製の段間結合電極５Ｃａ、５Ｃａ’が誘電体スペーサー４Ｃの外面に接着されている。共振器２Ａ、２Ｂには、帯域通過フィルタ１Ｃの場合と同様に、段間結合電極５Ａａ、５Ｂａが誘電体スペーサー４Ａ、４Ｂの外面に接着されている。段間結合電極５Ａａと段間結合電極５Ｃａ及び段間結合電極５Ｃａ’と段間結合電極５Ｂａはそれぞれ、導線７Ａｂ’、７Ｂｂ’で電気的に接続されている。これにより、共振器２Ａと共振器２Ｃは、互いに空気層を介して電磁界結合するのに加えて、それと並列に、共振器２Ａと段間結合電極５Ａａの間及び共振器２Ｃと段間結合電極５Ｃａの間を介して電界結合する。また、共振器２Ｃと共振器２Ｂは、互いに空気層を介して電磁界結合するのに加えて、それと並列に、共振器２Ｃと段間結合電極５Ｃａ’の間及び共振器２Ｂと段間結合電極５Ｂａの間を介して電界結合する。この帯域通過フィルタ１Ｃ’では、帯域通過フィルタ１Ｃと同様に、その通過特性Ｓ２１の通過帯域を狭帯域にすることが可能であり、また、通過帯域近傍に減衰極（ノッチ）を形成させることができる。
【００３９】
以上、本発明の実施形態に係る帯域通過フィルタについて説明したが、本発明は、上述の実施形態に記載したものに限られることなく、特許請求の範囲に記載する事項の範囲内でのさまざまな設計変更が可能である。例えば、帯域通過フィルタ１Ｂ、１Ｂ’において、導体箔製の電極片３Ａｂ、３Ｂｂ、３Ｃｂだけで十分に共振周波数が調整されるのならば、周波数調整ねじ３Ａａ、３Ｂａ、３Ｃａを場合によっては省略することも可能である。また、通常は、共振器２Ａ、２Ｂについてそれぞれ、誘電体スペーサー４Ａ、４Ｂと、入出力電極５Ａ、５Ｂと、を備えて対称的な構造にするが、場合によっては、本発明を共振器２Ａのみについて適用する、すなわち、共振器２Ａのみについて誘電体スペーサー４Ａと入出力電極５Ａとを備えるようにし、共振器２Ｂについては他の構成にすることも可能である。また、帯域通過フィルタが使用される機器によっては、共振器２Ａ、２Ｂ（、２Ｃ）を、短絡端と開放端が隣り合うように設けられたインターディジタルフィルタの構成とすることも可能である。
【符号の説明】
【００４０】
１、１Ａ〜１Ｃ、１’、１Ａ’〜１Ｃ ’  帯域通過フィルタ
１ａ    フィルタケース
２Ａ〜２Ｃ    共振器
３Ａ〜３Ｃ、３Ａ’〜３Ｃ ’  周波数調整電極
３Ａａ、３Ｂａ、３Ｃａ    周波数調整電極の周波数調整ねじ
３Ａｂ、３Ｂｂ、３Ｃｂ    周波数調整電極の電極片
４Ａ〜４Ｃ、４Ａ’〜４Ｃ’    誘電体スペーサー
４Ａａ〜４Ｃａ    誘電体スペーサーの環状部
４Ａｂ〜４Ｃｂ    誘電体スペーサーの底部
５Ａ、５Ｂ    入出力電極
５Ａａ〜５Ｃａ、５Ｃａ’  段間結合電極
６Ａ、６Ｂ    入出力端子
６Ａａ、６Ｂａ  入出力端子導体
７Ａ、７Ｂ、７Ａａ〜７Ｃａ、７Ａｂ、７Ａｂ’、７Ｂｂ’  導線
【図１】
2012205096.tif 000003
【図２】
2012205096.tif 000004
【図４】
2012205096.tif 000005
【図５】
2012205096.tif 000006
【図６】
2012205096.tif 000007
【図７】
2012205096.tif 000008
【図８】
2012205096.tif 000009
【図９】
2012205096.tif 000010
【図１０】
2012205096.tif 000011
【図１１】
2012205096.tif 000012
【図１２】
2012205096.tif 000013
【図１３】
2012205096.tif 000014
【図３】
2012205096.tif 000015